(57)【特許請求の範囲】
【請求項１】
段ボールの破断位置に沿って所定幅で平行に延設された２条の破断可能線からなり、両破断可能線間の段ボールを引っ張って帯状の切離片として引き裂く方向を破断方向としたとき、夫々の破断可能線が、前記破断方向に沿って所定間隔を存して配列された複数の単位切目により形成された段ボール破断用ジッパーにおいて、
前記単位切目は、前記破断方向に沿って延びる連続した直線状の第１切目部と、両破断可能線間の中央側から前記第１切目部に向かって傾斜しつつ連続して直線状に延びて終端が該第１切目部の破断方向の始端に連続する第２切目部とを備え、
前記第１切目部は、前記第２切目部との境界から次第に両破断可能線間の中央に接近するように前記破断可能線の延設方向に対して傾斜して延び、
所定の単位切目を構成する第１切目部の終端と、該所定の単位切目に対して破断方向下流側で隣接する単位切目を構成する第２切目の始端とは、前記破断方向に平行な方向に前記所定間隔の切れ目の存在しない部分を介して配置され、
前記単位切目は、前記第１切目部と前記第２切目部との境界に一端が交わって前記両破断可能線間から離反する方向に延びる第３切目部を備える
ことを特徴とする段ボール破断用ジッパー。
【発明の詳細な説明】
【技術分野】
【０００１】
本発明は、段ボール箱の開封作業等を容易とするために段ボール箱の周壁等に設けられる段ボール破断用ジッパーに関する。
【背景技術】
【０００２】
段ボール板紙を折り曲げ接着して組み立てられる包装箱においては、接着部分を剥がすことなく容易に開梱が行えるように、側壁板にジッパーが形成されている（例えば、下記特許文献１参照）。
【０００３】
この種のジッパーは、所定幅で平行に延設された２条の破断可能線からなり、ジッパーの端部に形成された破断開始部を摘んで破断方向に引っ張ることにより、包装箱の側壁板を帯状に引き裂いて開梱できるようになっている。
【０００４】
図４に示すように、ジッパー１０を構成する２条の破断可能線１１は、破断方向に沿って所定間隔を存して配列された複数の単位切目１２により形成されている。各単位切目１２は、２条の破断可能線１１を構成するもの同士で互いに平行に延びる第１切目部１２ａと、互いに交わる方向に傾斜して延びる第２切目部１２ｂとを備えている。単位切目１２の第１切目部１２ａと第２切目部１２ｂとは互いに連続している。単位切目１２の破断は、第２切目部１２ｂから第１切目部１２ａに向かう方向に進行し、破断可能線１１の破断は、各単位切目１２間で切れ目の存在しない部分を介して進行する。
【先行技術文献】
【特許文献】
【０００５】
【特許文献１】特開２００３−１６５５３３号公報
【発明の概要】
【発明が解決しようとする課題】
【０００６】
この種のジッパーは、破断開始部を摘んで外方に引っ張ることで、２条の破断可能線に沿って破断された帯状の切離片が形成される。このとき、ジッパーの破断作業中に帯状の切離片の引っ張り方向が何れか一方の破断可能線側に偏ると、一方の破断可能線に対して交差する方向に破断力が付与される。このため、ジッパーの破断後には、一方の破断可能線に沿った破断端縁に、段ボールの表ライナの表層が大きく剥離した部分が形成されてしまい、外観が著しく低下する不都合がある。
【０００７】
上記の点に鑑み、本発明は、段ボールの表ライナの表層剥離の発生を抑えて破断端縁の外観低下を防止することができる段ボール破断用ジッパーを提供することを目的とする。
【課題を解決するための手段】
【０００８】
かかる目的を達成するために、本発明は、段ボールの破断位置に沿って設けられた２条の破断可能線からなり、両破断可能線間の段ボールを帯状に引き裂く方向を破断方向としたとき、夫々の破断可能線が、前記破断方向に沿って所定間隔を存して配列された複数の単位切目により形成された段ボール破断用ジッパーにおいて、前記単位切目は、前記破断方向に沿って延びる第１切目部と、両破断可能線間の中央側から前記第１切目部に向かって傾斜しつつ延びて終端が該第１切目部の破断方向の始端に連続する第２切目部とを備え、前記第１切目部は、前記第２切目部との境界から次第に両破断可能線間の中央に接近するように傾斜して延びることを特徴とする。
【０００９】
本発明によれば、第１切目部の破断が進行する方向が両破断可能線間の中央に接近する方向となるので、第１切目部の破断方向の終端部から表ライナの表層の剥離が発生しても、当該表層剥離は両破断可能線間の中央に向かって進行する。よって、表ライナの表層剥離が両破断可能線間の外側に向かって広がることを抑制することができる。
【００１０】
また、本発明の段ボール破断用ジッパーにおいて、前記単位切目は、前記第１切目部と前記第２切目部との境界に一端が交わって前記両破断可能線間から離反する方向に延びる第３切目部を備えることを特徴とする。
【００１１】
前記単位切目が第３切目部を備えることにより、２条の破断可能線に沿って段ボールを破断する際に、表ライナの表層の剥離を第３切目部により分断させてその進行を止めることができる。これにより、表ライナの表層剥離の拡大を抑えることができる。
【図面の簡単な説明】
【００１２】
【図１】本発明の段ボール破断用ジッパーを備える包装箱を示す斜視図。
【図２】本発明の段ボール破断用ジッパーの一例を示す説明図。
【図３】本発明の段ボール破断用ジッパーの他の例を示す説明図。
【図４】従来の段ボール破断用ジッパーを示す説明図。
【発明を実施するための形態】
【００１３】
本発明の一実施形態を図面に基づいて説明する。図１に示すように、本実施形態の段ボール破断用ジッパー１は、段ボール製の包装箱２の側壁３に設けられている。
【００１４】
ジッパー１は、図２に示すように、２条の破断可能線４であり、矢印ｆで示す方向に両破断可能線４の破断を進行させることにより、図１に示すように、両破断可能線４間が帯状に引き裂かれる。これにより、包装箱２の側壁３から帯状切離片５が切離され、破断端縁が形成されて当該側壁３が上下に分割される。
【００１５】
図２に示すように、破断可能線４は、所定間隔を存して配列された複数の単位切目６により構成されている。上下の破断可能線４を構成する単位切目６は上下対称に形成されている。
【００１６】
各単位切目６は、図２に示すように、第１切目部６ａと、第２切目部６ｂとによって構成されている。第１切目部６ａは、略破断方向に沿って延びているが、両破断可能線４間の中央に接近するように傾斜する。第２切目部６ｂは、破断方向に向かって、両破断可能線４間の中央から次第に離反する方向に傾斜して延びており、破断方向の終端が第１切目部６ａの破断方向始端に連続する。
【００１７】
第１切目部６ａの傾斜は、第２切目部６ｂとの境界６ｙから次第に両破断可能線４間（帯状切離片５となる部分）の中央に接近する方向に傾斜するが、これによって、第１切目部６ａの破断の進行方向が両破断可能線４間の中央に接近する方向となり、表ライナの表層剥離が発生しても、その表層剥離の両破断可能線４間の外側への進行を抑制することができる。
【００１８】
また、図３に示すように、第１切目部６ａと第２切目部６ｂとの境界６ｙに、両破断可能線４間（帯状切離片５となる部分）から離反する方向に延びる第３切目部６ｃを設けてもよい。
【００１９】
これによれば、ジッパー１の破断時に、隣り合う単位切目６間で段ボール（包装箱２の側壁３）の表ライナーの表層剥離が生じたとき、第３切目部６ｃにより表層剥離の進行を抑えることができる。
【００２０】
また、第３切目部６ｃは、両破断可能線４の破断方向に対して直角となる方向に延びている。これによれば、第３切目部６ｃが表ライナの表層剥離の進行を抑える効果を向上させることができる。
【符号の説明】
【００２１】
１…段ボール破断用ジッパー、２…包装箱（段ボール）、４…破断可能線、６…単位切目、６ａ…第１切目部、６ｂ…第２切目部、６ｃ…第３切目部。
【図１】
0006636703.tif 000002
【図２】
0006636703.tif 000003
【図３】
0006636703.tif 000004
【図４】
0006636703.tif 000005